【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
被検眼の動き量を検出する検出手段と、
前記検出された動き量が大きいほど、前記被検眼の複数の２次元断層画像をそれぞれ取得する際の走査速度を上げるように、該走査速度を決定する決定手段と、
前記決定された走査速度で前記被検眼の複数の２次元断層画像を取得する取得手段と、
前記取得された複数の２次元断層画像から、前記被検眼の動きの影響が他の２次元断層画像よりも小さい２次元断層画像を選択する選択手段と
を備えることを特徴とする画像処理装置。
【請求項２】
前記検出手段は、前記被検眼が所定時間内に動いた長さを前記動き量として検出することを特徴とする請求項１に記載の画像処理装置。
【請求項３】
前記所定時間は、前記被検眼の複数の２次元断層画像における１つの２次元断層画像を取得する時間であることを特徴とする請求項２に記載の画像処理装置。
【請求項４】
前記検出手段は、前記決定された走査速度で前記被検眼の複数の２次元断層画像が取得される間における該被検眼の動き量を再度検出することを特徴とする請求項１乃至３のいずれか１項に記載の画像処理装置。
【請求項５】
前記決定手段は、前記再度検出された動き量が閾値以上である場合に、前記走査速度を再度決定し、
前記取得手段は、前記再度決定された走査速度で前記被検眼の複数の２次元断層画像を取得することを特徴とする請求項４に記載の画像処理装置。
【請求項６】
前記決定手段は、前記再度検出された動き量が前記被検眼のマイクロサッケードに対応する動き量である場合に、前記走査速度を再度決定することを特徴とする請求項４または５に記載の画像処理装置。
【請求項７】
前記選択手段は、前記取得された複数の２次元断層画像それぞれの前記再度検出された動き量が最小となる２次元断層画像を、前記被検眼の動きの影響が他の２次元断層画像よりも小さい２次元断層画像として選択することを特徴とする請求項４乃至６のいずれか１項に記載の画像処理装置。
【請求項８】
前記選択手段は、前記取得された複数の２次元断層画像同士の位置合わせを行い、位置合わせ評価値が他の２次元断層画像よりも高かった２次元断層画像を、前記被検眼の動きの影響が他の２次元断層画像よりも小さい２次元断層画像として選択することを特徴とする請求項１乃至６のいずれか１項に記載の画像処理装置。
【請求項９】
前記選択された２次元断層画像と前記他の２次元断層画像のうち少なくとも１つの断層画像とを位置合わせして加算平均処理を行う処理手段を更に備えることを特徴とする請求項１乃至８のいずれか１項に記載の画像処理装置。
【請求項１０】
前記処理手段は、前記選択された２次元断層画像に含まれる画素のうち、所定の閾値を超えた動き量が検出された際に取得された画素について、当該画素の画素値を、対応する他の２次元断層画像に含まれる画素の画素値または当該画素に重なる複数の走査線に対応する画素の画素値を用いて、前記加算平均処理を行うことを特徴とする請求項９に記載の画像処理装置。
【請求項１１】
前記決定手段は、各２次元断層画像を取得するのに走査する範囲を、該各２次元断層画像を構成するＡスキャン画像の数で除算することにより得られる分解能と、各２次元断層画像を取得するのに要する時間を、該各２次元断層画像を構成するＡスキャン画像の数で除算することにより得られる値とに基づいて、前記走査速度を決定することを特徴とする請求項１乃至１０のいずれか１項に記載の画像処理装置。
【請求項１２】
前記検出手段は、２次元断層画像を取得する際に得られる信号と前記被検眼の眼底画像とに基づいて、前記被検眼の平面方向の動き量を検出することを特徴とする請求項１乃至１１のいずれか１項に記載の画像処理装置。
【請求項１３】
前記決定手段は、前記被検眼の深さ方向と平面方向とのうち少なくとも一方の動き量が、前記２次元断層画像を取得する際の分解能を超えないように、前記走査速度を決定することを特徴とする請求項１乃至１２のいずれか１項に記載の画像処理装置。
【請求項１４】
前記検出手段が、光を走査手段を介して照射した前記被検眼からの反射光の強度に基づいて、前記被検眼の深さ方向の動き量を検出し、前記被検眼の眼底画像の特徴領域に基づいて、前記被検眼の平面方向の動き量を検出することを特徴とする請求項１乃至１３のいずれか１項に記載の画像処理装置。
【請求項１５】
前記検出手段が、前記被検眼の動き量として、光源の波長に対応する深さ方向の分解能を超える動き量を検出することを特徴とする請求項１乃至１４のいずれか１項に記載の画像処理装置。
【請求項１６】
前記検出手段により、前記被検眼の動き量として光源の波長に対応する深さ方向の分解能を超える動き量が検出された場合に、当該検出した時刻を記録する記録手段を更に備えることを特徴とする請求項１５に記載の画像処理装置。
【請求項１７】
眼球のＯＣＴ断層画像を処理する画像処理装置であって、
１枚のＯＣＴ断層画像の撮影中の前記眼球の深さ方向の動き量を検出するとともに、撮影された眼底画像を用いて、該１枚のＯＣＴ断層画像の撮影中の眼底の平面方向の動き量を検出する検出手段と、
同一断面について撮影された前記眼球の複数のＯＣＴ断層画像のうち、前記撮影中に前記検出手段により検出された、前記眼球の深さ方向の動き量が最も小さく、前記眼底の平面方向の動き量が最も小さいＯＣＴ断層画像を、基準ＯＣＴ断層画像として選択する選択手段と、
前記ＯＣＴ断層画像を、位置合わせする位置合わせ手段と、
横方向分解能または深さ方向分解能を超える動き量が検出された際に撮影された前記基準ＯＣＴ断層画像の走査線と、同一断面における前記基準ＯＣＴ断層画像以外のＯＣＴ断層画像の走査線とを選択し、前記基準ＯＣＴ断層画像の走査線と前記基準ＯＣＴ断層画像以外のＯＣＴ断層画像の走査線との間で、平均化処理を行うことにより、ＯＣＴ断層画像を生成する生成手段と
を備えることを特徴とする画像処理装置。
【請求項１８】
前記ＯＣＴ断層画像を撮影する断層画像撮影装置と、前記眼底画像を撮影する眼底画像撮影装置とに接続され、前記断層画像撮影装置により撮影された前記ＯＣＴ断層画像を処理することを特徴とする請求項１７に記載の画像処理装置。
【請求項１９】
コンピュータを、請求項１乃至１８のいずれか１項に記載の画像処理装置の各手段として機能させるためのプログラム。
【請求項２０】
被検眼の動き量を検出する工程と、
前記検出された動き量が大きいほど、前記被検眼の複数の２次元断層画像をそれぞれ取得する際の走査速度を上げるように、該走査速度を決定する工程と、
前記決定された走査速度で前記被検眼の複数の２次元断層画像を取得する工程と、
前記取得された複数の２次元断層画像から、前記被検眼の動きの影響が他の２次元断層画像よりも小さい２次元断層画像を選択する工程と
を有することを特徴とする画像処理方法。
【請求項２１】
眼球のＯＣＴ断層画像を処理する画像処理方法であって、
１枚のＯＣＴ断層画像の撮影中の前記眼球の深さ方向の動き量を検出するとともに、撮影された眼底画像を用いて、該１枚のＯＣＴ断層画像の撮影中の眼底の平面方向の動き量を検出する工程と、
同一断面について撮影された前記眼球の複数のＯＣＴ断層画像のうち、前記撮影中に前記検出する工程において検出された、前記眼球の深さ方向の動き量が最も小さく、前記眼底の平面方向の動き量が最も小さいＯＣＴ断層画像を、基準ＯＣＴ断層画像として選択する工程と、
前記ＯＣＴ断層画像を、位置合わせする工程と、
横方向分解能または深さ方向分解能を超える動き量が検出された際に撮影された前記基準ＯＣＴ断層画像の走査線と、同一断面における前記基準ＯＣＴ断層画像以外のＯＣＴ断層画像の走査線とを選択し、前記基準ＯＣＴ断層画像の走査線と前記基準ＯＣＴ断層画像以外のＯＣＴ断層画像の走査線との間で、平均化処理を行うことにより、ＯＣＴ断層画像を生成する工程と
を有することを特徴とする画像処理方法。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】００１０
【補正方法】変更
【補正の内容】
【００１０】
上記の目的を達成するために本発明に係る画像処理装置は以下のような構成を備える。即ち、
被検眼の動き量を検出する検出手段と、
前記検出された動き量が大きいほど、前記被検眼の複数の２次元断層画像をそれぞれ取得する際の走査速度を上げるように、該走査速度を決定する決定手段と、
前記決定された走査速度で前記被検眼の複数の２次元断層画像を取得する取得手段と、
前記取得された複数の２次元断層画像から、前記被検眼の動きの影響が他の２次元断層画像よりも小さい２次元断層画像を選択する選択手段とを備える。